(57)【要約】【課題】弛めた端子ねじを復帰ばねで充電保護カバーに押し当てて脱落を防止する端子装置において、端子装置を小型化するとともに配線品質の向上を図る【解決手段】基台１に固定された端子板２のねじ穴１２に座金３を有する端子ねじ４が螺合し、この端子ねじ４は基台１との間に挿入された復帰ばね８により軸方向に付勢され、端子板２から抜け出した状態で基台１に装着された充電保護カバー５に押し当てられて保持される端子装置において、復帰ばね８を腕１０を介して端子ねじ４の軸部に係合させる。座金３に復帰ばね８との係合部を設ける必要がないので、座金３の所要スペースが拡大したり、座金３の係合部が基台１に引っかかって端子ねじ４の締付けが不十分になったりすることがない。【選択図】      図１
2005235400.tif 000002
【特許請求の範囲】
【請求項１】
基台に固定された端子板のねじ穴に座金を有する端子ねじが螺合するとともに、この端子ねじと前記基台との間に復帰ばねが挿入され、この復帰ばねにより軸方向に付勢された前記端子ねじは、前記端子板から抜け出した状態で前記基台に装着された充電保護カバーに押し当てられて保持される端子装置において、
前記復帰ばねを前記端子ねじの軸部に係合させたことを特徴とする端子装置。
【請求項２】
前記復帰ばねに圧縮コイルばねを用いるとともに、この復帰ばねに横方向に張り出す直線部とその先端の湾曲部とからなる腕を設け、前記湾曲部を前記端子ねじの軸部に嵌め込んだことを特徴とする請求項１記載の端子装置。
【発明の詳細な説明】
【技術分野】
【０００１】
この発明は、主として表示灯や押ボタンスイッチなどの制御器具に用いられる端子装置に関する。
【背景技術】
【０００２】
図５は、この種の従来の一般的な端子装置を示す縦断面図である。図５において、絶縁物の基台１に固定された端子板２に、座金３を有する端子ねじ４が螺合しており、端子ねじ４を緩めて端子板２と座金３との間に図示しない単線や圧着端子を挟み込み、端子ねじ４を締め付けて配線を接続する。基台１には、充電部への指の接触などを防止する充電保護カバー５が装着されている。基台１の下部には、図示しないが表示灯の照明部や押ボタンスイッチの接点部などの制御器具本体が連結される。この端子装置は、端子ねじ４を弛めたときに、端子ねじ４が端子板２から脱落し紛失しやすいという問題がある。
【０００３】
そのため、端子ねじを軸方向に付勢する復帰ばねを設け、この復帰ばねで端子板から抜け出した端子ねじを基台に装着した充電保護カバーに押し当てて保持するようにした端子装置が開発され、このような端子装置は特許文献１や特許文献２に記載されている。
【特許文献１】特開平９−１２９２７７号公報
【特許文献２】特開平９−１８０７９０号公報
【発明の開示】
【発明が解決しようとする課題】
【０００４】
上記特許文献１あるいは特許文献２の端子装置においては、端子ねじの座金に復帰ばねを係合させる係合部を一体に折り曲げ形成し、この係合部に復帰ばねを作用させて端子ねじを付勢している。しかしながら、このような特殊な座金を用いる端子装置には次のような問題がある。
【０００５】
まず、復帰ばねを係合させる座金の係合部が側方に張り出すため場所を取り、結果として端子装置が大型化する。次に、座金に特殊な形状を追加することにより端子ねじの組み付けの向きが限定され、端子装置の組み立て時に端子ねじの位置合わせが必要となり組立作業性が悪くなる。更に、端子ねじの締め付け時に、座金の係合部が基台のガイド面と摺動接触するため、単線を配線したりドライバーの挿入角に傾きが生じたりして端子ねじが斜めになると、座金の係合部が基台のガイド面に引っかかり、摩擦が増えて必要な締付け力が得られないことがある。
【０００６】
そこで、この発明の課題は、弛めた端子ねじを復帰ばねで充電保護カバーに押し当て、その脱落を防止するようにした端子装置において、端子装置を小型化するとともに組立作業性と配線品質の向上を図ることにある。
【課題を解決するための手段】
【０００７】
上記課題を解決するために、この発明は、基台に固定された端子板のねじ穴に座金を有する端子ねじが螺合するとともに、この端子ねじと前記基台との間に復帰ばねが挿入され、この復帰ばねにより軸方向に付勢された前記端子ねじは、前記端子板から抜け出した状態で前記基台に装着された充電保護カバーに押し当てられて保持される端子装置において、前記復帰ばねを前記端子ねじの軸部に係合させるものとする（請求項１）。この請求項１の発明によれば、復帰ばねを端子ねじの軸部に直接係合させることにより、座金に復帰ばねとの係合部を設ける必要がなく、座金の所要スペースが拡大したり、係合部が基台に引っかかったりすることがない。
【０００８】
請求項１の発明において、前記復帰ばねに圧縮コイルばねを用いるとともに、この復帰ばねに横方向に張り出す直線部とその先端の湾曲部とからなる腕を設け、この腕の前記湾曲部を前記端子ねじの軸部に嵌め込むとよい（請求項２）。この請求項２の発明によれば、端子ねじが復帰ばねに対して自由に向きを変えられるため、端子ねじの組み付けの向きが限定されることがなく組立作業性が向上する。
【発明の効果】
【０００９】
この発明によれば、座金を特殊な形状にする必要がなく端子ねじの構造が簡単になり、端子装置が小型化するとともに、端子ねじの組み付けの向きを気にする必要がないので組立作業が簡単になる。また、端子ねじが斜めになっても座金が基台に引っかかることがなく、安定した締付け力が得られる。更に、標準の端子ねじをそのまま使用できるので、専用の端子ねじを用いることによる部品の種類の増加や在庫増しの問題も生じない。
【発明を実施するための最良の形態】
【００１０】
以下、角型表示灯の端子装置におけるこの発明の実施の形態について説明する。ここで、図１は端子装置の分解斜視図、図２は端子装置の組立状態の縦断面図で、図２（Ａ）は端子ねじを締め付けた状態、図２（Ｂ）は端子ねじを弛めた状態、図３は図２における端子ねじの拡大側面図である。なお、従来例と対応する部分には同一の符号を用いるものとする。図１〜図３において、方形の基台１には、対角線上の２箇所に端子板２が嵌め込みにより固定されており、この端子板２には、首部に正方形の座金３が装着された端子ねじ４が螺合している。６はスプリングワッシャである。基台１には、方形の充電保護カバー５が脚部５ａを介して係合により装着されている。充電保護カバー５の上面には、端子ねじ４に対面するように作業穴７があけられている。
【００１１】
ここで、基台１の中央部には直立する角柱状部には、２本の端子ねじ４をそれぞれ付勢する復帰ばね８を収容する円筒空間９が２箇所に設けられている。復帰ばね８は圧縮コイルばねからなり、図１の上端部に横方向に張り出す直線部１０ａとその先端の湾曲部１０ｂとからなる腕１０が設けられている。この復帰ばね８は、図３に示すように、腕１０の湾曲部１０ｂが座金３の直下において端子ねじ４の軸部に嵌め込まれ、図示の通り端子ねじ４に係合する。
【００１２】
図１において、端子ねじ４に係合させた復帰ばね８は、基台１の円筒空間９に挿入し、その下端部を円筒空間９の底面に突き当てる。ここで、各円筒空間９の端子ねじ側の側壁には腕１０の直線部１０ａを通す細隙１１が円筒空間９の軸方向に沿って設けられている。そこで、円筒空間９への復帰ばね８の挿入時には、同時に腕１０の直線部１０ａを細隙１１に挿入する。次いで、端子ねじ４をすでに基台１に嵌め込み固定した端子板２のねじ穴１２にねじ込む。これにより、復帰ばね８は圧縮され、端子ねじ４を軸方向に付勢する。最後に、充電保護カバー５を基台１に装着する。図２は、このような組み立て作業後の端子装置を示している。基台１の下部には、図示しない表示灯本体が連結される。
【００１３】
図２に示した端子装置において、単線を接続する場合には、作業穴７からドライバーを差し入れ、端子ねじ４を弛めて端子板２と座金３との間に必要な隙間をあける。これに対して、圧着端子を用いて電線を接続する場合には、端子ねじ４を完全に弛めて端子板２から抜け出させるが、この端子ねじ４は図２（Ｂ）に示すように、復帰ばね８のばね力を受けて座金３を介して充電保護カバー５に押し当てられ、図示の通り保持される。これにより、端子ねじ４は端子装置から脱落することがない。なお、充電部保護カバー５には、座金３の上下動を案内する角筒状部５ｂが形成されている。
【００１４】
電線の締め付け時には、復帰ばね８を圧縮しながら端子ねじ４をねじ込むが、その際、復帰ばね８は細隙１１を除いて周囲を円筒空間９の壁面で囲まれているので、圧縮に伴って湾曲することがない。また、復帰ばね８の腕１０は細隙１１に案内されながら移動するので左右にぶれることがなく、端子ねじ４の傾き（倒れ）を補正する役目をする。なお、復帰ばね８の湾曲防止手段としては、復帰ばね４の中心を貫通する直立軸を設けてもよい。また、復帰ばね８は図４に示すように、端子ねじ４の頭部とスプリングワッシャ６との間に係合させてもよい。
【００１５】
上記した端子装置において、復帰ばね８は端子ねじ４の軸部に直接係合し、座金３には復帰ばね８との係合部が設けられていない。従って、座金３の横方向への張り出しにより所要スペースが拡大したり、座金３の係合部が基台１に引っかかって電線の締付けが不十分になったりすることがない。また、端子ねじ４は復帰ばね８に対して自由に向きを変えられるため、端子ねじ４の基台１への組み付けの向きが限定されることがなく組立作業が容易である。更に、端子ねじ４は標準品がそのまま使用可能であり、コストが安くなるとともに部品管理も簡単になる。
【図面の簡単な説明】
【００１６】
【図１】この発明の実施の形態を示す端子装置の分解斜視図である。
【図２】図１の端子装置の縦断面図で、（Ａ）は端子ねじを締め付けた状態、（Ｂ）は端子ねじを弛めた状態である。
【図３】図２における端子ねじの拡大側面図である。
【図４】復帰ばねを端子ねじの頭部とスプリングワッシャとの間に係合させた端子ねじの拡大側面図である。
【図５】従来の端子装置を示す縦断面図である。
【符号の説明】
【００１７】
１    基台
２    端子板
３    座金
４    端子ねじ
５    充電部保護カバー
８    復帰ばね
１０    腕
１０ａ  直線部
１０ｂ  湾曲部
【図１】
2005235400.tif 000003
【図２】
2005235400.tif 000004
【図３】
2005235400.tif 000005
【図４】
2005235400.tif 000006
【図５】
2005235400.tif 000007